(57)【要約】【課題】所望の倍率での撮影の際、電源オンから撮影開始までの時間を短縮し、かつ電源オフ状態でレンズ位置がずれてしまった場合などでも、シャッターチャンスを阻害せずにレンズ位置の補正を行うことが可能な撮像装置を提供する。【解決手段】撮像装置は、撮影レンズを光軸方向に移動することで撮影画像の画角調整ができる光学ズーム制御が可能で、電源オフ時の撮影レンズの位置を記憶する記憶手段３０３と、補正手段３０４を有する。補正手段は、電源オン時に撮影レンズが電源オフ時の位置のまま撮影を可能とする撮影モードで、撮影レンズを基準位置まで移動後、電源オフ時の位置まで移動させ、撮影レンズ移動中は、電子ズームを用いて撮影画角を変化させないように制御する。【選択図】  図２
2015026008.tif 000002
【特許請求の範囲】
【請求項１】
撮影レンズを光軸方向に移動することで撮影画像の画角調整ができる光学ズーム制御が可能で、電源オフ時に撮影レンズの位置を記憶する記憶手段を有し、電源オフ時に撮影レンズの位置を保持し電源オン時には撮影レンズが電源オフ時の位置のまま撮影を可能とする撮影モードを備える撮像装置であって、
前記撮影モードにおいて、前記電源オン時の位置と前記記憶した位置との間の撮影レンズの位置のズレを補正するために、撮影レンズを移動させる際に、少なくとも撮影レンズを所定の位置に移動させるまでの間は電子ズームを用いて撮影画角を変化させないように制御する補正手段を備えることを特徴とする撮像装置。
【請求項２】
前記補正手段は、前記電源オン時の撮影レンズの位置が前記記憶された電源オフ時の撮影レンズの位置より望遠側にある場合には、撮影レンズを前記電源オフ時の位置まで移動させる際には電子ズームを用いて撮影画角を変化させないよう制御し、その後、電子ズームをオフにするように制御することを特徴とする請求項１に記載の撮像装置。
【請求項３】
前記補正手段は、前記電源オン時の撮影レンズの位置が前記記憶された電源オフ時の撮影レンズの位置より広角側にある場合には、電子ズームを用いて撮影画角を変化させないよう撮影レンズを前記所定の位置である位置検出の基準となる基準位置まで移動させた後に、撮影レンズを移動させつつ電子ズームの変倍量が０になるまでは電子ズームを用いて撮影画角を変化させないよう制御し、その後、電子ズームを用いずに撮影レンズのみを前記電源オフ時の位置まで移動させるように制御することを特徴とする請求項１に記載の撮像装置。
【請求項４】
前記補正手段は、前記電源オン時の撮影レンズの位置が前記記憶した電源オフ時の撮影レンズの位置とずれている場合には、撮影レンズの位置を補正する際、撮影レンズを前記所定の位置である位置検出の基準となる基準位置まで移動する間は、第１の変化率で電子ズームを用いて撮影画角を変化させないように制御し、その後、撮影レンズを前記記憶した電源オフ時の位置まで移動する間は、第１の変化率とは異なる第２の変化率で電子ズームを用いて撮影画角を一定の変化率で変化させ、前記電源オフ時の撮影レンズの位置まで移動した際に電子ズームがオフになるように制御することを特徴とする請求項１に記載の撮像装置。
【請求項５】
前記補正手段により撮影レンズを移動させている間は、表示部に、その旨の警告を表示することを特徴とする請求項１から４の何れか１項に記載の撮像装置。
【請求項６】
前記補正手段により撮影レンズを移動させている間でも、撮影動作を許容するように構成されていることを特徴とする請求項１から５の何れか１項に記載の撮像装置。
【請求項７】
前記補正手段により撮影レンズを移動させている間に撮影した撮影画像には、前記補正手段の動作中の撮影画像であることを識別する識別記号が記録されることを特徴とする請求項６に記載の撮像装置。
【請求項８】
前記補正手段は、電源オン後に所定時間にわたって操作されなかった場合に動作することを特徴とする請求項１から７の何れか１項に記載の撮像装置。
【請求項９】
前記補正手段は、オン／オフ切り替え可能であることを特徴とする請求項１から８の何れか１項に記載の撮像装置。
【請求項１０】
前記撮影モードは、オン／オフ切り替え可能であることを特徴とする請求項１から９の何れか１項に記載の撮像装置。
【請求項１１】
撮影レンズを光軸方向に移動することで撮影画像の画角調整ができる光学ズーム制御が可能で、電源オフ時の撮影レンズの位置ないし該位置による光学ズーム倍率を記憶する記憶手段を有する撮像装置であって、
電源オン時に、電子ズームにより前記電源オフ時の光学ズーム倍率に相当する倍率に設定し、撮影レンズを前記記憶した電源オフ時の位置まで移動させる際には、電子ズームを変化させて撮影画角を変化させないように制御する補正手段を備えることを特徴とする撮像装置。
【請求項１２】
撮影レンズを光軸方向に移動することで撮影画像の画角調整ができる光学ズーム制御が可能で、電源オフ時に撮影レンズの位置ないし該位置による光学ズーム倍率を記憶する記憶手段を有する撮像装置であって、
電源オン時の撮影レンズの位置ないし該位置による光学ズーム倍率と前記記憶した撮影レンズの位置ないし該位置による光学ズーム倍率との間のズレを補正するために、撮影レンズを移動させる際に、電子ズームを用いて撮影画角をほぼ一定に保持する補正手段を備えることを特徴とする撮像装置。
【発明の詳細な説明】
【技術分野】
【０００１】
本発明は、光学変倍機能と電子変倍機能を有する撮像装置に関するものである。
【背景技術】
【０００２】
近年、所謂、デジタルカメラやデジタルビデオカメラに代表されるような撮像装置における高機能化の１つとして、起動時間の短縮や、レリーズタイムラグの削減が進んでいる。また一方、ズーム性能のアップ、すなわち、ズーム倍率の高倍率化が進んでいる。高倍率化に伴い、ズーム速度の高速化や多段階変速などを採用し、高倍率でも操作性が悪くならないようにしている。しかしながら、高倍率の撮像装置においては、電源オンから所望の画角で撮影ができるまでには変倍の調整などに時間がかかってしまい、シャッターチャンスを逃してしまうことがある。また、電源オン状態を維持してシャッターチャンスを待つと、無駄に電力を消費してしまうので、常に電池残量を気にしなくてはならない。特に、変倍量が予め分かっている場合では、撮影者の操作をできるだけ削減して、所望のタイミングで素早く撮影動作に移りたい。そこで、先行技術として、電源オフ操作時のレンズ鏡筒の位置を記憶し、沈胴させずに電源をオフし、電源をオンした際に、記憶されたレンズ位置に移動制御するという方法が知られている（特許文献１参照）。
【先行技術文献】
【特許文献】
【０００３】
【特許文献１】特許４１４０２３１号明細書
【発明の概要】
【発明が解決しようとする課題】
【０００４】
上述した特許文献１に記載されている技術では、撮影レンズの位置を記憶して、撮影画角を保持したまま電源オフするので、同一の画角で撮影したい場合に、電源オン時に素早く所望の画角で撮影することが可能となる。しかし、電源オフ時には、撮影レンズの位置を保持するための通電を行わないため、撮影装置に加わる振動などで撮影レンズの位置が移動してしまった場合には調整が必要となる。撮影レンズの位置の把握は、絶対位置を検出するのではなく、リセット位置に基準を置き、そこからの移動量で把握することが一般的である。そのため、電源オフ状態で撮影レンズが動いてしまった場合、撮影レンズの位置を正確に把握することができず、一度、リセット位置に戻らなければならない。沈胴式レンズ鏡筒で構成された撮像装置の場合、リセット位置は撮影レンズ収納位置の近傍に設けられることが多い。そのため、リセット位置に戻ってから所望の位置まで再度撮影レンズが撮影位置に戻るまでの間は、画角が変化してしまうだけでなく、特に高倍率のレンズ鏡筒においては撮影レンズの補正に時間がかかる。したがって、所望のタイミングで、所望の画角での撮影が実行できなくなってしまうことがある。
【０００５】
本発明は、所望の倍率での撮影の際、電源オンから撮影開始までの時間を短縮し、かつ電源オフ状態でレンズ位置がずれてしまった場合等でも、シャッターチャンスを阻害せずにレンズ位置の補正を行うことが可能な撮像装置を提供することを目的とする。
【課題を解決するための手段】
【０００６】
本発明の撮像装置は、撮影レンズを光軸方向に移動することで撮影画像の画角調整ができる光学ズーム制御が可能で、電源オフ時に撮影レンズの位置を記憶する記憶手段を有し、電源オフ時に撮影レンズの位置を保持し電源オン時には撮影レンズが電源オフ時の位置のまま撮影を可能とする撮影モードを備え、前記撮影モードにおいて、電源オン時の位置と前記記憶した位置との間の撮影レンズの位置のズレを補正するために、撮影レンズを移動させる際に、少なくとも撮影レンズを所定の位置に移動させるまでの間は電子ズームを用いて撮影画角を変化させないように制御する補正手段を備える。
【０００７】
また、本発明の他の撮像装置は、撮影レンズを光軸方向に移動することで撮影画像の画角調整ができる光学ズーム制御が可能で、電源オフ時の撮影レンズの位置ないし該位置による光学ズーム倍率を記憶する記憶手段を有し、電源オン時に、電子ズームにより前記電源オフ時の光学ズーム倍率に相当する倍率に設定し、撮影レンズを前記記憶した位置まで移動させる際には、電子ズームを変化させて撮影画角を変化させないように制御する補正手段を備える。
【０００８】
また、本発明の更なる他の撮像装置は、撮影レンズを光軸方向に移動することで撮影画像の画角調整ができる光学ズーム制御が可能で、電源オフ時に撮影レンズの位置ないし該位置による光学ズーム倍率を記憶する記憶手段を有し、電源オン時の撮影レンズの位置ないし該位置による光学ズーム倍率と前記記憶した撮影レンズの位置ないし該位置による光学ズーム倍率との間のズレを補正するために、撮影レンズを移動させる際に、電子ズームを用いて撮影画角をほぼ一定に保持する補正手段を備える。
【発明の効果】
【０００９】
本発明の撮像装置によれば、電源オンから所望の画角に調整するまでの時間を短縮できるばかりでなく、振動や衝撃などによって所望の画角からレンズ位置がずれてしまっている場合などでも、撮影のタイミングを損なわずに補正を行うことができる。
【図面の簡単な説明】
【００１０】
【図１】本発明の実施形態に係るデジタルカメラの外観を示す斜視図。
【図２】本発明の実施形態に係る撮影レンズの制御を示すフローチャート。
【図３】本発明の実施形態に係るデジタルカメラの制御系を示すブロック図。
【図４】撮影レンズの位置補正の際のズーム倍率の関係を示した図。
【発明を実施するための形態】
【００１１】
本発明の思想は、或る時点の撮影レンズの位置（ないし光学ズーム倍率）を記憶して、別の時点と前記或る時点との間の撮影レンズの位置等のズレを補正するために、撮影レンズを移動させる際に、電子ズームを用いて撮影画角をほぼ一定に保持することにある。或る時点は電源オフ時などであり、別の時点は電源オン時などである。典型的には、後述の実施例で説明するように、撮像装置は、撮影レンズを光軸方向に移動することで撮影画像の画角調整ができる光学ズーム制御が可能で、電源オフ時に撮影レンズの位置を記憶する記憶手段を有する。また、電源オフ時に撮影レンズの位置を保持し電源オン時には撮影レンズが電源オフ時の位置のまま撮影を可能とする撮影モード（後述のクイックモード）を備える。そして、撮影モードで、電源オン時の位置と前記記憶した位置の間の撮影レンズ位置のズレを補正するために撮影レンズを移動させる際に、少なくとも撮影レンズを所定の位置に移動させるまでの間は電子ズームを用いて撮影画角を変化させないように制御する。また、他の撮像装置は、撮影レンズを光軸方向に移動することで撮影画像の画角調整ができる光学ズーム制御が可能で、電源オフ時の撮影レンズの位置ないし該位置による光学ズーム倍率を記憶する記憶手段を有する。そして、電源オン時に、電子ズームにより前記電源オフ時の光学ズーム倍率に相当する倍率に設定し、撮影レンズを前記記憶した位置まで移動させる際には、電子ズームを変化させて撮影画角を変化させないように制御する。
【００１２】
（実施例１）
以下、本発明の実施の形態について、添付図面を参照して詳細に説明する。ここでは、撮像装置の一例として、所謂、コンパクトタイプのデジタルカメラを取り上げることとする。但し、本発明はこのような実施形態に限定されるものではない。
【００１３】
図１は、本発明の実施形態に係るデジタルカメラの外観を示す斜視図である。デジタルカメラ１の本体（不図示）を覆うカバーは、被写体側の面（前面）と上面とを構成する前面外装カバー２と、撮影者側の面（背面）を構成する背面外装カバー３とを有している。デジタルカメラ１の前面には、撮影レンズ（不図示）を内包するレンズ鏡筒７が配置されている。デジタルカメラ１の上部には、合焦開始及び撮影開始を指示するレリーズボタン４やデジタルカメラ１の電源のオン／オフを切り替える電源ボタン５等、各種の操作を行う部材が配置されている。レリーズボタン４は、押し込み方向に対して、押し込み量に応じた２段階で操作を検出する２段スイッチ構造となっている。
【００１４】
デジタルカメラ１の上面には、撮影者が撮影画像の画角調整、すなわち、ズーム操作を行うための操作部材であるズームレバー６が配設されており、ズームレバー６は光軸に対して略直交する回転軸を中心として回転可能である。後述する制御部３０４（図３参照）が、ズームレバー６の回転操作の操作量（回転角度）を検出し、検出した操作量に応じてレンズ鏡筒７が内包する撮影レンズを光軸方向において進退させるズーム制御を行う。また、デジタルカメラ１の上部には、撮影モードの切り替えに使用されるモードスイッチ８が設けられており、モードスイッチ８のスライド操作によって静止画撮影と動画撮影あるいは撮影レンズを収納しないクイックモードが切り替わるようになっている。すなわち、前記撮影モードは、オン／オフ切り替え可能である。レリーズボタン４やズームレバー６は、撮影者（操作者）がデジタルカメラ１を把持したときに人差し指で容易に操作できるようにデジタルカメラ１の上部に配置されることが望ましい。
【００１５】
図２は、クイックモードにおけるレンズ駆動制御を示すフローチャートである。また、図３は、デジタルカメラ１の制御系を示すブロック図、すなわち、図２のフローチャートに示される制御を行う制御系のブロック図である。図３に示されるように、デジタルカメラ１は、撮影部３０１、画像処理部３０２、記録部３０３、前記補正手段を含む制御部３０４、操作部３０５、及び表示部３０６を備えている。撮影部３０１には、撮影レンズ、撮影レンズを保持するレンズ鏡筒７、撮影レンズにより結像された被写体像を光電変換する撮像素子、撮像素子の駆動回路、撮像素子から出力されるアナログ画像信号をデジタル画像信号に変換するＡ／Ｄ変換器等が含まれる。画像処理部３０２は、撮影部３０１から出力されるデジタル画像信号に画像処理を施す。
【００１６】
制御部３０４は、デジタルカメラ１の全体的な制御を行う制御回路を有しており、ＣＰＵやＲＯＭ、ＲＡＭ等を含む。記録部３０３は、画像処理部３０２により画像処理されたデジタル画像信号を不図示の記録媒体に記録する処理を行う。操作部３０５は、撮影者がデジタルカメラ１を操作するためのボタン等の操作キーを含み、ズームレバー６も操作部３０５に含まれる。ズームレバー６の操作が制御部３０４によって検出されると、制御部３０４は、撮影部３０１が有するレンズ鏡筒７を駆動するズーム制御を行う。表示部３０６はＬＣＤ等を有し、撮影画像の再生やメニュー画面等を表示する。なお、表示部３０６が有するＬＣＤ等にタッチパネル機能を付加して、操作部３０５としても機能させることができる。
【００１７】
図２のフローチャートに示されるレンズ駆動制御は、制御部３０４が有するＣＰＵがＲＯＭに保存されているプログラムをＲＡＭの作業領域に展開して実行することにより実行される。最初に、制御部３０４は、デジタルカメラ１がクイックモードかを判定する（ステップＳ２０１）。ステップＳ２０１の判定は、操作部３０５の状態を制御部３０４が確認することで判定することが出来る。
【００１８】
クイックモードの場合（Ｓ２０１：ＹＥＳ）、制御部３０４は撮影レンズの位置を保持したまま、デジタルカメラ１の起動を行い（ステップＳ２０２）、その後、制御部３０４は、電源がオフでないかを判定する（ステップＳ２０３）。クイックモードでない場合（Ｓ２０１：ＮＯ）、通常の起動を行うため、制御部３０４は撮影レンズを基準位置まで移動し、その後撮影レンズを撮影可能な最も広角側の位置に移動させるようにしながら、デジタルカメラ１の起動を行う（ステップＳ２０４）。そして、その後、処理をステップＳ２０３に進める。電源がオフでないと判定された場合（Ｓ２０３：ＮＯ）、制御部３０４は、撮影指示があるかを判定する（ステップＳ２０５）。撮影指示があった場合（Ｓ２０５：ＹＥＳ）、撮影処理を行い（ステップＳ２０６）、処理をステップＳ２０３に戻す。撮影指示がない場合（Ｓ２０５：ＮＯ）、制御部３０４は所定の条件を満たすかどうかを判定する（ステップＳ２０７）。ここで挙げる例では、電源オンからの経過時間、あるいは、ステップＳ２０６での撮影処理からの経過時間が所定時間以上経過したかどうかを判定基準とする。
【００１９】
所定条件を満たさない場合（Ｓ２０７：ＮＯ）、処理をステップＳ２０３に戻す。所定条件を満たす場合（Ｓ２０７：ＹＥＳ）、制御部３０４は撮影レンズの位置を補正する処理を行う（ステップＳ２０８）。すなわち、前記補正手段は、オン／オフ切り替え可能であり、電源オン後に所定時間にわたって操作されなかった場合に動作する。ここに挙げる例では、撮影レンズを基準点であるリセット位置まで移動させ、前回電源オフの際に記憶した位置に撮影レンズを移動させる。その後、撮影指示を待機する（ステップＳ２０９）
【００２０】
一方、電源がオフされたと判定された場合（Ｓ２０３：ＹＥＳ）、制御部３０４はクイックモードであるかどうかを判定する（ステップＳ２１０）。クイックモードである場合（Ｓ２１０：ＹＥＳ）、制御部３０４は撮影レンズの現在の位置を記録し（ステップＳ２１１）、撮影レンズの位置を移動させずに終了処理を行い（ステップＳ２１２）、デジタルカメラ１をシャットダウンさせる（ステップＳ２１３）。クイックモードでない場合（Ｓ２１０：ＮＯ）、制御部３０４は撮影レンズを収納位置に移動させ終了処理を行い（ステップＳ２１４）、デジタルカメラ１をシャットダウンさせる（ステップＳ２１３）。
【００２１】
本実施例では、所定条件を満たすことにより撮影レンズ位置の補正を行うよう制御しているが、撮影者のボタン等の操作により、任意のタイミングで撮影レンズ位置の補正を実行することも有効である。
【００２２】
図４は、クイックモードの際の撮影レンズの移動制御とデジタルズーム（電子ズーム）との関係を示したグラフである。図４（ａ）は、電源オン時の撮影レンズの位置が前回電源オフ時の撮影レンズの位置よりも望遠側にずれていた場合の、撮影レンズの移動制御とデジタルズームと合成ズーム倍率の例を示している。図４（ｂ）は、電源オン時の撮影レンズの位置が前回電源オフ時の撮影レンズの位置よりも広角側にずれていた場合である。また、図４（ｃ）は、電源オン時の撮影レンズの位置が前回電源オフ時の撮影レンズの位置よりも広角側にずれていた場合の、撮影レンズの移動制御とデジタルズームと合成ズーム倍率の別の例を示している。
【００２３】
図４（ａ）では、電源オン後の経過時間が所定時間を超えるなどの所定の条件を満足した後、撮影レンズを基準位置に戻すように移動させる。基準位置は撮影レンズ収納位置の近傍に設けられているため、撮影レンズを移動する際に画角が大きく変化する。そこで、デジタルズームを用いて合成されたズーム倍率が一定（電源オン時の倍率）になるようにすることで撮影画角を変化させないように制御する。撮影レンズが基準位置に到達したら、今度は撮影レンズを前回電源オフ時に記録された位置に移動させる。この時も、デジタルズームを用いて合成されたズーム倍率が一定になるように制御することで撮影画角を変化させない。撮影レンズが前回電源オフ時に記録された位置に到達したら、余っているデジタルズームによる変倍量を０に戻す。その際、画角は一時的に変化するが、短い時間で制御可能なので撮影のチャンスを阻害しにくい。以上の如く、前記補正手段は、電源オン時の撮影レンズの位置が電源オフ時の撮影レンズの位置より望遠（テレ）側にある場合には、撮影レンズを電源オフ時の位置まで移動させる際には電子ズームを用いて撮影画角を変化させないよう制御する。そして、その後、電子ズームをオフにするように制御する。
【００２４】
図４（ｂ）では、図４（ａ）同様、電源オン後の経過時間が所定時間を超えるなどの所定の条件を満足した後、撮影レンズを基準位置に戻すように移動させる。前述のように撮影レンズを移動させる際に画角が大きく変化するので、デジタルズームを用いて合成されたズーム倍率が一定（電源オン時の倍率）になるようにすることで撮影画角を変化させないように制御する。撮影レンズが基準位置に到達したら、今度は撮影レンズを前回電源オフ時に記録された位置に移動させる。この時も、デジタルズームを用いて合成されたズーム倍率が一定になるように制御することで撮影画角を変化させない。デジタルズームによる変倍量が０になった後も、撮影レンズは前回電源オフ時に記録された位置に到達していないため、引き続き撮影レンズを移動させる。その際、画角は一時的に変化するが、同様に短い時間で制御可能なので撮影のチャンスを阻害しにくい。以上の如く、前記補正手段は、電源オン時の撮影レンズの位置が電源オフ時の撮影レンズの位置より広角（ワイド）側にある場合には、電子ズームを用いて撮影画角を変化させないよう撮影レンズを所定の位置である位置検出の基準となる基準位置まで移動させる。そして、その後、撮影レンズを移動させつつ電子ズームの変倍量が０になるまでは電子ズームを用いて撮影画角を変化させないよう制御し、その後、電子ズームを用いずに撮影レンズのみを電源オフ時の位置まで移動させるように制御する。
【００２５】
図４（ｃ）では、図４（ａ）と図４（ｂ）同様、電源オン後の経過時間が所定時間を超えるなどの所定の条件を満足した後、撮影レンズを基準位置に戻すように移動させる。同様に、撮影レンズを移動させる際に画角が大きく変化するので、デジタルズームを用いて合成されたズーム倍率が一定になるようにすることで撮影画角を変化させないように制御する。撮影レンズが基準位置に到達したら、今度は撮影レンズを前回電源オフ時に記録された位置に移動させる。この時、デジタルズームを用いるが、撮影レンズを移動させる量に合わせてデジタルズームによる変倍量が丁度０になるように制御する。そのため、画角が変化してしまうが、画角が変化している時間は比較的短く、変化量も大きくないため、図４（ａ）、図４（ｂ）のように急激な画角の変化を望まない場合には有効である。以上の如く、前記補正手段は、電源オン時の撮影レンズの位置が電源オフ時の撮影レンズの位置とずれている場合には、撮影レンズの位置を補正する際、次のようにする。まず、撮影レンズを位置検出の基準となる基準位置まで移動する間は、第１の変化率で電子ズームを用いて撮影画角を変化させないように制御する。その後、撮影レンズを電源オフ時の位置まで移動する間は、第１の変化率とは異なる第２の変化率で電子ズームを用いて撮影画角を一定の変化率で変化させる。こうして、電源オフ時の撮影レンズの位置まで移動した際に電子ズームがオフになるように制御する。
【００２６】
このように、撮影レンズの位置を補正する際にデジタルズームを利用して画角をほぼ維持することで、デジタルカメラの電源オン直後からほぼ所望の画角での撮影が可能である。すなわち、前記補正手段により撮影レンズを移動させている間でも、撮影動作を許容するように構成されている。また撮影レンズ位置の補正も、沈胴式レンズ鏡筒を有するデジタルカメラにおいても、シャッターチャンスを阻害せずに実行することが可能となる。電子ズームを併用することで光学ズームのみの場合よりも画質が劣化してしまうが、シャッターチャンスを優先する際には有効である。撮影レンズの位置を補正している間は、撮影者にその旨が分かるよう警告表示を表示部等で示してもよい。つまり、前記補正手段により撮影レンズを移動させている間は、表示部に、その旨の警告を表示する。また、前記補正手段により撮影レンズを移動させている間に撮影した撮影画像には、前記補正手段の動作中の撮影画像であることを識別する識別記号が記録されてもよい。
【００２７】
本実施例によれば、電源オンから所望の画角に調整するまでの時間を短縮できるばかりでなく、振動や衝撃などによって所望の画角からレンズ位置がずれてしまっている場合でも、撮影のタイミングを損なわずに補正を行うことができる。また、簡易な構成で余分な電力を消費することなく、電源オンから所望の画角に調整するまでの時間を短縮できる。さらに、撮像装置に加えられた振動や衝撃によって所望の画角からレンズ位置がずれてしまっている場合でも、撮影のタイミングを損なわずに補正を行う撮像装置を提供することができる。
【００２８】
（別の実施例）
別の実施例としてのクイックモード時の制御について、以下に説明する。電源オフ時に光学ズームの変倍率を記録しておく。電源オン時、クイックモードであると判断されると、撮影レンズを基準位置から最寄りの撮影待機位置（通常は等倍の位置）に移動させる。この間、電子ズームの変倍率を変化させ、撮影画角が変化しないよう制御する。その後、電源オフ時に記録された光学ズームの変倍率と同等の変倍を電子ズームにより行い、撮影待機状態となる。撮影指示が来るまでの間に、撮影待機位置から、電源オフ時に記録された光学ズームの変倍率に相当する位置に撮影レンズを移動させる。その際、電子ズームの変倍率を変化させ、撮影画角が変化しないよう制御する。撮影レンズを移動させている間も、撮影指示があれば撮影レンズの移動を一時停止し、撮影処理を優先する。前述の実施例同様、所望の画角におけるシャッターチャンスを阻害せずに、撮影レンズを前回電源オフ時の位置に移動させることが可能となる。沈胴式撮影レンズユニットを備えたデジタルカメラで、電源オフの間、鞄等に入れて持ち歩く際などにはこの方法も有効である。以上の如く、本実施例では、電源オフ時の撮影レンズの位置による光学ズーム倍率を記憶し、電源オン時に、電子ズームにより電源オフ時の光学ズーム倍率に相当する倍率に設定する。そして、撮影レンズを電源オフ時の位置まで移動させる際には、電子ズームを変化させて撮影画角を変化させないように制御する。
【００２９】
以上、本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明の一実施形態を示すものにすぎず、各実施例を適宜組み合わせることも可能である。例えば、上記実施例ではデジタルカメラについて説明したが、光学ズームと電子ズームをともに備え、光学ズームと電子ズームを任意のタイミングで自在に切り替え可能な構成を持った電子機器であれば同様に適用することができる。
【符号の説明】
【００３０】
１：デジタルカメラ本体（撮像装置）、４：レリーズボタン（操作部）、５：電源ボタン（操作部）、６：ズームレバー（操作部）、７：レンズ鏡筒、８：モードスイッチ（操作部）、３０３：記憶部（記憶手段）、３０４：制御部（補正手段）、３０６：表示部
【図１】
2015026008.tif 000003
【図２】
2015026008.tif 000004
【図３】
2015026008.tif 000005
【図４】
2015026008.tif 000006